(57)【要約】【課題】  従来の前垂れが伸長する装置にあっては、補助前垂れの伸長と収縮を行わせるための構造が非常に複雑で製造コストや組立工数が掛かるといった問題があった。【解決手段】  前垂れ３は前垂れ押し出しリンク１３によって起伏する主前垂れ基板３１と、該主前垂れ基板に対して前後方向にスライド可能に取付けられた補助前垂れ基板３２と、該補助前垂れ基板に一端部３５ａが軸支されたパンタグラフ式の伸縮リンク３５と、一端が座部基板２ａに軸支され他端が伸縮リンクの他端部３５ｂに軸支された操作リンク１１とを具備し、平行リンク７の変位によって回転する回動リンク８の回動に伴って前記操作リンクが前記伸縮リンクを伸縮させることで前記補助前垂れ基板を主前垂れ基板に対して突出あるいは収納するようにした理美容用椅子である。【選択図】        図４
2009153748.tif 000002
【特許請求の範囲】
【請求項１】
アクチュエータの伸縮によって平行リンクが変位することで座部基板を昇降させ、前記平行リンクの変位に伴い、背凭れ用起伏リンクによって背凭れを起伏させ、また、前記背凭れ起伏用リンクによって前記座部基板に回動自在に取付けられた回動リンクが回動することで前垂れ押し出しリンクを介して前記座部基板に起伏自在に取付けられた前垂れを起伏させるようにした理美容用椅子であって、
前記前垂れは前記前垂れ押し出しリンクによって起伏する主前垂れ基板と、該主前垂れ基板に対して前後方向にスライド可能に取付けられた補助前垂れ基板と、該補助前垂れ基板に一端部が軸支されたパンタグラフ式の伸縮リンクと、一端が前記座部基板に軸支され他端が前記伸縮リンクの他端部に軸支された操作リンクとを具備し、
前記平行リンクの変位によって回転する前記回動リンクの回動に伴って前記操作リンクが前記伸縮リンクを伸縮させることで前記補助前垂れ基板を主前垂れ基板に対して突出あるいは収納するようにしたことを特徴とする理美容用椅子。
【請求項２】
前記伸縮リンクの前記操作リンクと軸支される部分が前記主前垂れ基板に取付けられたガイド部材によって直線的に移動させたことを特徴とする請求項１記載の理美容用椅子。
【請求項３】
前記主前垂れ基板と補助前垂れ基板との間に収縮スプリングを張設し、前記伸縮リンクの収縮方向の変位時に前記収縮スプリングのバネ力によって被施術者が着座してリンク機構に負荷が掛かった状態、また、被施術者が着座していない軽荷重の状態であっても、常に前垂れをスムースに戻すことを特徴とする請求項１記載の理美容用椅子。
【発明の詳細な説明】
【技術分野】
【０００１】
本発明は、座部の昇降に連動して前垂れおよび背凭れが水平方向と垂直方向に変位し、かつ、前垂れが水平方向に変位すると前垂れの一部が伸長し、前垂れが垂直方向に変位すると前垂れの一部が収縮する理美容用椅子に関する。
【背景技術】
【０００２】
従来における理美容用椅子としては特開平９−２７６０６５号公報（以下、第１の先行例という）や実開平１−２０８２８号公報（以下、第２の先行例という）に開示されている発明や考案が存在する。第１の先行例の発明は、シリンダを伸長すると座部が水平移動しながら上昇し、この上昇に伴って垂直状態にある前垂れと背凭れが座部と略水平方向に変位し、また、シリンダを収縮すると座部が水平移動しながら下降し、この下降に伴って水平状態にある前垂れと背凭れが座部に対して略垂直状態となるものである。
【０００３】
また、第２の先行例の考案は、前垂れを水平方向に変位させると前垂れの裏面側に位置する補助前垂れが前垂れの先端方向に前進して前垂れ全体としての長さを長くして高身長者であっても足の踵までを支持して着座者に対して不安定感を与えないようにすると共に疲労を与えないようにし、前垂れを垂直方向に変位させると補助前垂れが前垂れの裏面側に収容されて補助前垂れの先端が床面に接触しないようにしたものである。
【特許文献１】特開平９−２７６０６５号公報
【特許文献２】実開平１−２０８２８号公報
【発明の開示】
【発明が解決しようとする課題】
【０００４】
ところで、前記した第１の先行例の発明にあっては、バックシャンプーを行ったり髭剃りを行うために被施術者を仰臥状態にする場合に、前垂れと背凭れを個別に伏倒させるという操作が不要となるため、施術者の作業が簡単に行えるという効果が期待できるが、前垂れの長さは不変であるために被施術者が長身者の場合には踵まで支持することができないといった問題があった。
【０００５】
一方、前記した第２の先行例の考案にあっては、座部の上昇に伴って前垂れの先端が伸長されて高身長者であっても踵部分を支持して安楽な状態で施術を受けることができるという効果が得られるが、第１の先行例のような座部の昇降に応じて前垂れと背凭れの起伏が行われるといった動作はなく、補助前垂れの伸長と収縮を行わせるための構造が非常に複雑で製造コストや組立工数が掛かるという問題があった。
【０００６】
本発明は前記した問題点を解決せんとするもので、その目的とするところは、１つのシリンダによって座部の昇降に伴って前垂れと背凭れの起伏が行われ、かつ、座部の昇降に伴って前垂れの補助前垂れが伸長、収縮することで、施術者による操作性の向上が図れると共に被施術者が仰臥状態となっても足の略全体を支持することができ安楽な状態での施術が可能となり、しかも、構造が非常に簡単であることから製造コストや組立工数の低減を少なくした理美容用椅子を提供せんとするにある。
【課題を解決するための手段】
【０００７】
本発明の理美容用椅子は前記した目的を達成せんとするもので、請求項１の手段は、アクチュエータの伸縮によって平行リンクが変位することで座部基板を昇降させ、前記平行リンクの変位に伴い、背凭れ用起伏リンクによって背凭れを起伏させ、また、前記背凭れ起伏用リンクによって前記座部基板に回動自在に取付けられた回動リンクが回動することで前垂れ押し出しリンクを介して前記座部基板に起伏自在に取付けられた前垂れを起伏させるようにした理美容用椅子であって、前記前垂れは前記前垂れ押し出しリンクによって起伏する主前垂れ基板と、該主前垂れ基板に対して前後方向にスライド可能に取付けられた補助前垂れ基板と、該補助前垂れ基板に一端部が軸支されたパンタグラフ式の伸縮リンクと、一端が前記座部基板に軸支され他端が前記伸縮リンクの他端部に軸支された操作リンクとを具備し、前記平行リンクの変位によって回転する前記回動リンクの回動に伴って前記操作リンクが前記伸縮リンクを伸縮させることで前記補助前垂れ基板を主前垂れ基板に対して突出あるいは収納するようにしたことを特徴とする。
【０００８】
請求項２の手段は、前記した請求項１において、前記伸縮リンクの前記操作リンクと軸支される部分が前記主前垂れ基板に取付けられたガイド部材によって直線的に移動させたことを特徴とする。
【０００９】
請求項３の手段は、前記した請求項１において、前記主前垂れ基板と補助前垂れ基板との間に収縮スプリングを張設し、前記伸縮リンクの収縮方向の変位時に前記収縮スプリングのバネ力によって被施術者が着座してリンク機構に負荷が掛った状態、また、被施術者が着座していない軽荷重の状態であっても、常に前垂れをスムースに戻すたことを特徴とする。
【発明の効果】
【００１０】
本発明は前記したように、１つのシリンダによって座部の昇降に伴って前垂れと背凭れの起伏が行われ、かつ、座部の昇降に伴って前垂れの補助前垂れが伸長、収縮することで、施術者による操作性の向上が図れると共に被施術者が仰臥状態となっても足の略全体を支持することができ安楽な状態での施術が可能となり、しかも、構造が非常に簡単であることから製造コストや組立工数の低減を少なくすることができる。
【００１１】
また、伸縮リンクの操作リンクと軸支される部分が主前垂れ基板に取付けられたガイド部材によって直線的に移動させることができるので、伸縮リンクが左右や上下方向にブレることがなくなり、補助前垂れ基板の突出量が一定となり、また、補助前垂れ基板の主前垂れ基板への収納も一定量となる。
【００１２】
さらに、主前垂れ基板と補助前垂れ基板との間に収縮スプリングを張設することで、伸縮リンクの収縮方向の変位時に収縮スプリングのバネ力によって被施術者が着座してリンク機構に負荷が掛かった状態また被施術者が着座していない軽荷重の状態であっても、常に前垂れをスムースに戻すことができる等の効果を有するものである。
【発明を実施するための最良の形態】
【００１３】
本発明は、１つのシリンダによって座部の昇降に伴って前垂れと背凭れの起伏が行われ、かつ、座部の昇降に伴って前垂れの主前垂れに対して補助前垂れを伸長、収縮するようにした。
【実施例】
【００１４】
以下、本発明に係る理美容用椅子の一実施例を図面と共に説明する。
図１は被施術者が着座する状態を示す正面側から見た斜視図、図２は同上の内部構造を示す側面図、図３は座部が上昇し前垂れと背凭れが伏倒した状態の内部構造を示す側面図、図４は図３の裏面側から見た斜視図、図５は前垂れが収縮している状態の上面図、図６は前垂れが伸長した状態の上面図である。
【００１５】
１は上面にモータポンプ１ａ（図４参照）や油タンク（図示せず）や後述する平行リンクの一端を軸支する基台部１ｂが取付けられた基台、２は後述するリンク機構を介して取付けられた座部基板２ａの上面に固定された座部、３は前記リンク機構を介して前記座部２の前方に起伏可能に取付けられた前垂れ、４は前記リンク機構を介して前記座部２の後方に起伏可能に取付けられた背凭れ、５は前記座部２の左右位置に配置された肘掛けにして、下部が前記座部基板２ａに固定されている。なお、座部２の前方と前垂れ３の上方との間には膜３ａが取付けられており、座部２と前垂れ３との間の隙間から内部のリンク機構が見えないようにしてある。また、肘掛け５の側面には座部２の上昇と下降を施術者が操作するための押しボタン５ａが取付けられている。
【００１６】
次に、内部に配置されているリンク機構の詳細について説明する。
前記基台１上の基台部１ｂの下方には油圧シリンダ等のアクチュエータ６の一端が軸支されている。また、基台部１ｂの上方には平行リンク７を構成する一対の第１リンク７ａと第２リンク７ｂの一端が軸支され、第１リンク７ａの中間部には前記アクチュエータ６の他端が軸支されている。
【００１７】
前記座部基板２ａの下部には一対の垂下基板２ｂが取付けられており、この垂下基板２ｂの下端側の一端は平行リンク７の第１リンク７ａの先端に軸支され、他端は第２リンク７ｂの折曲部に軸支されている。このような構成によって、図２の状態においてアクチュエータ６が伸長すると平行リンク７が上方に向かって変位し、従って、座部基板２ａは水平状態を維持しながら略垂直方向に上昇し（図３、図４参照）、また、上昇位置においてアクチュエータ６が収縮収容されると座部基板２ａは水平状態を維持しながら元の位置に下降するものである。
【００１８】
前記背凭れ４は座部基板２ａに形成された起立板２ｃに軸支された背凭れ取付板４ａに取付けられている。また、座部基板２ｂの下面には「へ」の字状に形成された回動リンク８の折曲部が軸支され、該回動リンク８の一端には前記平行リンク７の第２リンク７ｂに下端が軸支された「Ｓ」字状に形成された背凭れ起伏用リンク９の上端が軸支されている。なお、背凭れ取付板４ａは「コ」の字状に形成されており、前記起立板２ｃに軸支された背凭れ取付板４ａから背凭れ４の背面側に延びる背凭れ支持部４ｂによって背凭れ４は固定されている。
【００１９】
前記各背凭れ取付板４ａの一部には連結リンク１０が軸支されている。この一対の連結リンク１０どうしは連結棒１０ａによって連結固定され、この連結棒１０ａの中央位置には連結板１０ｂが固定されている。そして、連結板１０ｂの先端は前記背凭れ起伏用リンク９と前記回動リンク８にも軸支されている。このような構成によって、図２の状態からアクチュエータ６が伸長すると背凭れ起伏用リンク９が上昇しながら連結板１０ｂを介して連結棒１０ａを時計方向に回転させるので、背凭れ４は背凭れ取付板４ａとの軸支点を回転支点として伏倒方向に回動することとなる（図３、図４参照）。なお、背凭れ起伏用リンク９の上昇に伴って回動リンク８も時計方向に回動する。
【００２０】
前記前垂れ３は主前垂れ基板３１と補助前垂れ基板３２とから構成され、主前垂れ基板３１と補助前垂れ基板３２の側面に形成された一対のガイドレール３３（図５、図６参照）によって補助前垂れ基板３２は主前垂れ基板３１に対して前後方向に摺動可能に形成されている。そして、被施術者が足をのせるための前垂れシート３４は補助前垂れ基板３２に取付けられている。
【００２１】
前記補助前垂れ基板３２の前方にはパンタグラフ式の伸縮リンク３５の一端部３５ａが軸支され、該伸縮リンク３５の他端部３５ｂには一端が座部基板２ａに軸支された操作リンク１１の他端が軸支されている。また、伸縮リンク３５の他端部３５ｂは主前垂れ基板３１に固定された一対のガイド部材３６のガイド孔３６ａ（図４参照）に案内され前後方向に移動可能な移動棒３７にも連結されている。
【００２２】
そして、伸縮リンク３５の他端部３５ｂが軸支されている移動棒３７がガイド部材３６によって案内されることで伸縮リンク３５の伸縮時に直線的に伸縮することなる。従って、伸縮リンク３５が左右方向や上下方向にブレることがなくなり、補助前垂れ基板３２の突出量が一定となり、また、補助前垂れ基板３２の主前垂れ基板３１への収納も一定量となる。
【００２３】
なお、３８は主前垂れ基板３１と補助前垂れ基板３２との間に張設された一対の収縮スプリングである。また、一端が伸縮リンク３５の他端部３５ｂに接続されている前記操作リンク１１の先端部は主前垂れ基板３１に形成された長孔３１ａを通過して座部基板２ａに接続されている。
【００２４】
前記主前垂れ基板３１の裏面側は一端が座部基板２ａに回動自在に軸支された一対の前垂れ回動板１２の他端が固定されている。これにより主前垂れ基板３１は座部基板２ａに対して回動自在に構成されている。また、主前垂れ基板３１の上方中央部には前垂れ押し出しリンク１３の一端が軸支され、該前垂れ押し出しリンク１３の他端は前記回動リンク８に軸支されている。
【００２５】
このような構成とすることで、図２の状態においてアクチュエータ６を伸長させると前記したように回転リンク８が時計方向に回転するので、前垂れ押し出しリンク１３が左方向に移動して主前垂れ基板３１の上方を時計方向に回動させる力が作用する。この作用力が加わると主前垂れ基板３１は時計方向に回動しようとするため、該主前垂れ基板３１に取付けられている前垂れ回動板１２が座部基板２ａと軸支されている軸支点を軸として時計方向に回動を始める。この回動において、主前垂れ基板３１の座部基板２ａ側は押し上げられるようにして回動することになる。
【００２６】
そして、主前垂れ基板３１が回動を始めると一端が座部基板２ａに軸支され固定状態にある操作リンク１１の先端に軸支されている伸縮リンク３５の他端部３５ｂが上方に引かれる。ここで、前記他端部３５ｂに接続されている移動棒３７はガイド部材３６のガイド孔３６ａに案内されているので、前記他端部３５ｂはガイド棒３７の移動に伴って移動するので、伸縮リンク３５は伸長される。
【００２７】
この伸縮リンク３５の伸長によって、該伸縮リンク３５の一端部３５ａは先端側に向かって移動するので、該一端部３５ａが軸支されている補助前垂れ基板３２は収縮スプリング３８のバネ力に抗して主前垂れ基板３１の先端より前方に突出される。これにより、前垂れ３の全長は前垂れ３が図１、図２の垂直位置にある時よりも長くなる。そして、油圧シリンダ６が完全に伸長し終わると回転リンク８の回転が終了し、これに伴って前垂れ押し出しリンク１３の押し出し力も無くなるので補助前垂れ基板３２の主前垂れ基板３１の突出も終了する（図３、図４参照）。
【００２８】
次に、前記した構造に基づいて図１、図２の状態から髭剃りやバックシャンプーを行うための動作を説明するに、肘掛け５の側面に設けられている押しボタン５ａ（または図示しない基台１の背凭れ側に設けられているペダル）を操作してアクチュエータ６に油を供給する。この油の供給によってアクチュエータ６が伸長されると、平行リンク６、垂下基板２ｂによって座部基板２ａが上昇する。また、前記した動作によって平行リンク７、背凭れ起伏用リンク９、連結棒１０ａを介しての連結リンク１０の変位によって背凭れ取付板４ａが回動して背凭れ４が伏倒方向に回動される。
【００２９】
また、背凭れ起伏用リンク９に接続されている回転リンク８が時計方向に回動されることから、前記した動作によって前垂れ押し出しリンク１３が主前垂れ基板３１の上方に対して押し出す力が作用するので、主前垂れ基板３１は前垂れ回動板１２によって伏倒方向に回動される。
【００３０】
主前垂れ基板３１が伏倒方向に回動されると操作リンク１１の先端に連結されている伸縮リンク３５の他端部３５ｂ側が引き上げられ、伸縮リンク３５は伸長される。この伸縮リンク３５が伸長されることにより、先端側の一端部３５ａに連結されている補助前垂れ基板３２が主前垂れ基板３１の先端部分より突出方向に移動して前垂れ３としての長さが長くなるものである。そして、アクチュエータ６への油の供給が停止されると、前垂れ３および背凭れ４の伏倒方向への回動は停止され、かつ、座部２の上昇も停止する。
【００３１】
なお、座部２が上昇し、かつ、前垂れ３と背凭れ４が伏倒状態である髭剃りやバックシャンプーの施術が終了し、被施術者を着座状態に戻す動作はアクチュエータ６への油を油タンクに戻す操作を行うと前記した動作とは反対の動作が行われ座部２が下降し、背凭れ４が起立され、かつ、前垂れ３が垂直方向への移動を行い図１、図２の状態に戻る。ここで、主前垂れ基板３１と補助前垂れ基板３２との間に張設されている収縮スプリング３８によって伸長状態の伸縮リンク３５は収縮されて補助前垂れ基板３２は主前垂れ基板３１の裏面側に収容される。
【図面の簡単な説明】
【００３２】
【図１】本発明の理美容用椅子の被施術者が着座する状態を示す正面側から見た斜視図である。
【図２】同上の内部構造を示す側面図である。
【図３】座部が上昇し前垂れと背凭れが伏倒した状態の内部構造を示す側面図である。
【図４】図３の裏面側から見た斜視図である。
【図５】前垂れが収縮している状態の上面図である。
【図６】前垂れが伸長した状態の上面図である。
【符号の説明】
【００３３】
１          基台
２          座部
２ａ        座部基板
３          前垂れ
３１        主前垂れ基板
３２        補助前垂れ基板
３５        伸縮リンク
３５ａ      一端部
３５ｂ      他端部
４          背凭れ
６          アクチュエータ
７          平行リンク
８          回動リンク
９          背凭れ起伏用リンク
１１        操作リンク
１２        前垂れ回動板
１３        前垂れ押し出しリンク
【図１】
2009153748.tif 000003
【図２】
2009153748.tif 000004
【図３】
2009153748.tif 000005
【図４】
2009153748.tif 000006
【図５】
2009153748.tif 000007
【図６】
2009153748.tif 000008